(57)【要約】【課題】携帯に便利である携帯式電子装置に用いられる支持スタンドを提供すること。【解決手段】本発明に係る支持スタンドは、携帯式電子装置に用いられる。前記支持スタンドは、取付部及び支持部を備え、前記取付部は、主体部及び前記主体部と一体に連接される鉤部を備え、前記主体部と前記鉤部との間には、スロットが形成され、前記支持部の一端は、前記主体部に対して上下に開くことができるように連結される。前記携帯式電子装置の端縁が前記スロット内に装着されると、前記取付部は弾性変形して前記携帯式電子装置の端縁を挟持する。【選択図】図３
2012191604.tif 000002
【特許請求の範囲】
【請求項１】
携帯式電子装置に用いられる支持スタンドであって、前記支持スタンドは、取付部及び支持部を備え、前記取付部は、主体部及び前記主体部と一体に連接される鉤部を備え、前記主体部と前記鉤部との間には、スロットが形成され、前記支持部の一端は、前記主体部に対して上下に開くことができるように連結され、
前記携帯式電子装置の端縁が前記スロット内に装着されると、前記取付部は弾性変形して前記携帯式電子装置の端縁を挟持することを特徴とする支持スタンド。
【請求項２】
前記主体部の前記鉤部に近い一端は、略アーチ状に成形され、前記支持部の他端には折り曲げ部が設けられ、前記支持スタンドが閉じられた後、前記支持部の全体は、前記取付部の外面を被覆することを特徴とする請求項１に記載の支持スタンド。
【請求項３】
前記支持部の前記取付部に対する上下に開く角度の極限範囲は、１５０°〜１７０°であり、好ましくは１５５°〜１６５°であることを特徴とする請求項１に記載の支持スタンド。
【請求項４】
前記取付部及び前記支持部は、金属弾片及び前記金属弾片を被覆する軟質層からなることを特徴とする請求項１〜３の何れか一項に記載の支持スタンド。
【発明の詳細な説明】
【技術分野】
【０００１】
本発明は、フラット式電子製品、特にフラット式の携帯式電子装置に用いられる支持スタンドに関するものである。
【背景技術】
【０００２】
現在、多くの携帯電話、個人用携帯情報端末（Ｐｅｒｓｏｎａｌ  Ｄｉｇｉｔａｌ  Ａｓｓｉｓｔａｎｔ）等の携帯式電子装置が、タッチパネルを備えている。長時間タッチパネルを操作したり又は映像等を見たりする場合は、携帯式電子装置を卓上に据え置く方がユーザーにとって便利であるため、通常、専用のスタンドで携帯式電子装置を支持した後に、所定の角度に傾斜させる。
【０００３】
しかし、従来のスタンドは、体積が大きいため、携帯が不便であり、且つ携帯式電子装置とは別に携帯するため、紛失し易い。
【発明の概要】
【発明が解決しようとする課題】
【０００４】
以上の問題点に鑑みて、本発明は、携帯に便利である携帯式電子装置に用いられる支持スタンドを提供することを目的とする。
【課題を解決するための手段】
【０００５】
上記の目的を達成するために、本発明に係る支持スタンドは、携帯式電子装置に用いられる。前記支持スタンドは、取付部及び支持部を備え、前記取付部は、主体部及び前記主体部と一体に連接する鉤部を備え、前記主体部と前記鉤部との間には、スロットが形成され、前記支持部の一端は、前記主体部に対して、上下に開くことができるように連結される。前記携帯式電子装置の端縁が前記スロット内に装着されると、前記取付部は弾性変形して前記携帯式電子装置の端縁を挟持する。
【発明の効果】
【０００６】
従来の技術と比較して、本発明の支持スタンドは、極めて薄い金属片からなるので、重量が軽く、構造が簡単である。しかも、前記支持スタンドは、その取付部の弾性変形力により、携帯式電子装置に強固に係止されるので、携帯に便利であり、紛失し難い。
【図面の簡単な説明】
【０００７】
【図１】本発明の実施形態に係る携帯式電子装置に用いられる支持スタンドの立体図である。
【図２】図１に示した本発明の実施形態に係る携帯式電子装置に用いられる支持スタンドの、閉じた状態で携帯式電子装置に装着された後の背面図である。
【図３】図１に示した本発明の実施形態に係る携帯式電子装置に用いられる支持スタンドが、携帯式電子装置を支持している状態を示す図である。
【発明を実施するための形態】
【０００８】
図１及び図２に示したように、本発明の支持スタンド１００は、携帯電話、個人用携帯情報端末等の携帯式電子装置２００を支持するために用いられる。本実施形態において、前記支持スタンド１００の数は、２つである。前記２つの支持スタンド１００は、卓上で所定の角度に傾斜して、前記携帯式電子装置２００を支持する。各支持スタンド１００は、取付部１０及び支持部２０を備える。前記取付部１０及び前記支持部２０は、ヒンジ部材３０を介して一体に連結される。
【０００９】
前記取付部１０及び前記支持部２０は、金属弾片からなり、且つ前記取付部１０及び前記支持部２０の外表面には、それぞれ軟質層が設けられている。前記軟質層は、前記携帯式電子装置２００の表面に傷が生じることを防止する。また、前記軟質層の材料は、ゴム等の軟質樹脂であることができるが、デザインをさらに重視したい場合は、前記軟質層の表面に各種の模様を設けても良い。
【００１０】
前記取付部１０は、主体部１２及び前記主体部１２の一端が湾曲されてなる鉤部１４を備える。前記主体部１２は、長尺な平板材であり、一端が前記鉤部１４と一体的に連接されている。前記主体部１２と前記鉤部１４との間には、前記携帯式電子装置２００の側壁を挟持するためのスロット１６が形成されている。前記スロット１６の幅は、前記携帯式電子装置２００の側壁の幅より小さい。しかし前記取付部１０の全体が弾性を有するため、前記携帯式電子装置２００の一端が前記スロット１６内に装着されると、前記鉤部１４は弾性復帰することができ、前記携帯式電子装置２００をさらに強固に挟持する。
【００１１】
前記主体部１２の前記鉤部１４に近い一端は、ややアーチ状に成形されているので、前記支持スタンド１００が前記携帯式電子装置２００に装着された後、前記主体部１２の前記鉤部１４から離れた一端は、前記携帯式電子装置２００の背面に緊密に貼着することができる。前記支持部２０の一端には、折り曲げ部２２が形成されている。前記折り曲げ部２２によって、前記支持部２０の自由端と机の表面との接触面積が拡大され、前記支持部２０を介して、前記携帯式電子装置２００をさらに安定して支持することができる。前記支持部２０の他端は、前記取付部１０の主体部１２の中間部より上の箇所に、上下に（つまり前記主体部１２から離れる方向に）開くことができるように連結される。前記支持部２０の上下に開く角度の最大値（極限角度）の範囲は、１５０°〜１７０°であり、好ましくは１５５°〜１６５°である。前記支持部２０が前記極限角度まで開くと、机の表面に対して、前記携帯式電子装置２００の傾斜角もより狭まるので、前記支持部２０によってさらに安定に且つ強固に支持される。従ってユーザーは、前記携帯式電子装置２００のタッチパネルに対して入力操作等を楽に行うことができる。
【００１２】
本実施形態において、前記支持部２０は、前記ヒンジ部材３０を介して前記取付部１０と連結される。前記ヒンジ部材３０は、２つの軸筒３２と、１つの回転部３４と、１つの回転軸３６と、を備える。２つの前記軸筒３２は、前記主体部１２の外面に固定される。前記回転部３４は、前記支持部２０の一端に成形され且つ２つの前記軸筒３２の間の回転軸３６を包むように設けられる。前記回転軸３６の両端は、それぞれ２つの前記軸筒３２内に固定される。前記支持部２０は、前記取付部１０に対して上下に動く過程において、前記回転部３４と前記軸筒３２との接触面に生じた摩擦力によって任意の位置に停止することができる。これにより、ユーザーは、前記支持部２０を自由な角度に傾斜させることができる。
【００１３】
図２に示したように、前記支持スタンド１００を前記携帯式電子装置２００に装着する場合、前記携帯式電子装置２００の何れか１つの側壁を２つの前記支持スタンド１００のスロット１６内に装着して、前記取付部１０の鉤部１４を前記携帯式電子装置２００の正面の端縁に弾性的に当接させればよい。この場合、前記取付部１０の主体部１２は、前記携帯式電子装置２００の背面に密着し、前記支持部２０は、前記取付部１０に対して完全に閉じた状態となって、前記支持部２０全体が前記取付部１０の外面を被覆する。また前記支持スタンド１００は流線形構造等にすることもできるため、前記支持スタンド１００と共に使用することによって、前記携帯式電子装置２００をさらにファッショナブルにさせることができる。
【００１４】
図３に示すように、前記支持スタンド１００を使用する時に、前記支持部２０を前記取付部１０に対して必要な角度に開いた後、前記携帯式電子装置２００を前記支持スタンド１００と共に、卓上に据え置けばよい。以上によりユーザーは、前記携帯式電子装置２００の画面を快適に見ることができる。また、前記携帯式電子装置２００のタッチパネルに対して入力操作を行いたい場合は、前記支持部２０を前記取付部１０を前記極限角度まで開いて、前記支持スタンド１００介して、前記携帯式電子装置２００を支持すればよい。
【００１５】
前記支持スタンド１００を使用しない場合、前記支持部２０を前記取付部１０に対して閉じればよい。
【００１６】
本発明に係る支持スタンド１００の全体は、極めて薄い金属片からなるので、重量が軽く、構造が簡単である。しかも、前記支持スタンド１００は、前記鉤部１４の弾性変形力により、前記携帯式電子装置２００に強固に係止されるので、携帯に便利であり、紛失し難い。
【００１７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１８】
１０                取付部
１２                主体部
１４                鉤部
１６                スロット
２０                支持部
２２                折り曲げ部
３０                ヒンジ部材
３２                軸筒
３４                回転部
３６                回転軸
１００              支持スタンド
２００              携帯式電子装置
【図１】
2012191604.tif 000003
【図２】
2012191604.tif 000004
【図３】
2012191604.tif 000005